Podtech/llm-jp-corpus-v4-ja_patent huggingface dataset:
(57)【要約】      （修正有）【課題】本考案は従来の改良サポーターにゲルマニュウム鉱石を取付けツボを押圧するものである。【解決手段】本考案は従来の改良サポーターにゲルマニュウム鉱石を取付け改良し、２の帯状袋に３の鉱石玉を取付てツボを刺激し疲労を和らげるものである。尚、鉱石玉は大小色々に組み合わせる事ができる。【選択図】図３
0003121861.tif 000002
【実用新案登録請求の範囲】
【請求項１】
膝用サポーターに膝前部を丸く空け回りに鉱石加工を施し、膝裏にもゲルマニューム鉱石を取付け膝表裏のツボを刺激し且つ腰にも刺激を与え疲労を和らげる膝用疲労回復サポーター
【考案の詳細な説明】
【技術分野】
【０００１】  本考案は、膝裏にゲルマニューム鉱石を膝前部にも鉱石加工を施したサポーターに関するもの。
［従来の技術］【０００２】  従来のサポーターは単に膝部分を締め付けるだけのものでした。
【考案が解決しようとする課題】
【０００３】  従来のサポーターは単に膝部分を締付けるものだが、今回の改良は膝表裏に鉱石を取付けツボを刺激し膝周辺のコリを和らげるだけでなく、腰の疲労も和らげる効果もあり従来のサポーターの欠点を解決したものである。
【課題を解決するための手段】
【０００４】  本考案はサポーターを一部改良し、表裏共にゲルマニュウム鉱石を取付、表側の膝頭部に穴を開け歩行時や坐っている時も行動がし易くなる様に、従来のサポーターの問題点を解決したものである。
［考案の実施の形態］
【０００５】  本考案は、従来のサポーターの正面を丸く空け膝頭に負担を掛けないようし、表裏ともに帯状袋の中に入れた鉱石玉が膝表裏を刺激し疲労を和らげる様に解決した物である。
【実施例】
【０００６】  以下、添付図３に従って一実施例を説明する。▲１▼は従来のサポーターを加工した品物で▲２▼は▲１▼に繋がる鉱石玉を入れる帯状袋であり、▲３▼はゲルマニュウム鉱石玉で▲２▼に挿入し使用する様に解決したものである。
本考案の一実施例は上述の如き構成からなるものであり、サポーターとして使用することは、勿論であるが本考案の示す通り疲労を和らげるという効果もある。
【考案の効果】
【０００７】  上述の様に、本考案の求める膝用疲労回復サポーターは膝筋肉周りの押圧は勿論、膝表裏のツボを刺激し疲労を和らげる効果を解決したものである。
【図面の簡単な説明】
【０００８】
【図１】  本考案の膝用疲労回復サポーターの一実施例を示す正面図である。
【図２】  本考案の側面図である。
【図３】  本考案の断面図である。
【符号の説明】
【０００９】  ▲１▼改良サポーター
▲２▼帯状袋
▲３▼ゲルマニューム鉱石玉
【図１】
0003121861.tif 000003
【図２】
0003121861.tif 000004
【図３】
0003121861.tif 000005
(57)【要約】【課題】  カビの発生を抑制しダニを忌避することによりエアコンの内部環境をクリーンに保ち、吹き出す風によって部屋の中に森林浴効果をもたすために、フィルターに抗菌・防カビ剤とヒノキチオールを塗布したダニ忌避・抗菌・防カビエアコンフィルターを提供する。【解決手段】  フィルター（１）に抗菌・防カビ剤（２）とヒノキチオール（３）を塗布したダニ忌避・抗菌・防カビエアコンフィルターを特徴とする。【選択図】図１
0003121867.tif 000002
【実用新案登録請求の範囲】
【請求項１】
フィルター（１）の上に抗菌・防カビ剤（２）が塗布され、さらにその上にヒノキチオール（３）が塗布されたダニ忌避・抗菌・防カビエアコンフィルター。
【請求項２】
フィルター（１）の上にヒノキチオール（３）が塗布され、さらにその上に抗菌・防カビ剤（２）が塗布されたダニ忌避・抗菌・防カビエアコンフィルター。
【請求項３】
フィルター（１）を隔てて抗菌・防カビ剤（２）とヒノキチオール（３）がそれぞれ塗布されたダニ忌避機能付き抗菌・防カビエアコンフィルター。
【考案の詳細な説明】
【技術分野】
【０００１】  この考案は、フィルターが本来の集塵効果を目的とするだけでなく、エアコン内部に発生するカビを抑制し、そしてエアコン内部に侵入しようとする害虫とりわけダニを忌避する効果をもつことでエアコンの内部環境をクリーンに保ち、しかも吹き出す風に含まれるヒノキチオールのフィトンチッド成分により部屋の中に森林浴効果を与えるエアコン専用のフィルターに関するものである。
【背景技術】
【０００２】  従来、エアコン専用の取替え式フィルターはエアコン本体にある純正フィルターの汚れを軽減させるための集塵効果を主な目的としておりフィルターのみの単体構造であった。
【考案の開示】
【考案が解決しようとする課題】
【０００３】  これは、つぎのような欠点があった。
従来、エアコン用フィルターは清掃を簡素化するためにエアコン本体にある純正フィルターの汚れを軽減させることが主な目的とされ、集塵効果をもつフィルターのみの単体構造であった。
しかし、集塵効果のみを有する単体構造でのフィルターでは純正フィルターの汚れを軽減するというだけでエアコンの内部環境をクリーンに保つなど、純正フィルターが備わっているにもかかわらず、あえてフィルターを取り付けることによる新しい効果が得られなかった。
本考案は、以上のような構造の欠点を失くすためになされたものである。
【課題を解決するための手段】
【０００４】  本考案は上記課題を考慮し、抗菌・防カビ剤（２）とヒノキチオール（３）をフィルター（１）に塗布することにより、エアコン内部に発生するカビを抑制し、ダニなど害虫を忌避することでエアコンの内部環境をクリーンに保ち、しかも吹き出す風によって部屋の中に森林浴効果をもたらすことを特徴とする。
このように本考案は、上記の構造的課題を解消する構造をもつダニ忌避・抗菌・防カビエアコンフィルターである。
【考案の効果】
【０００５】  本考案は、フィルターに抗菌・防カビ剤とヒノキチオールをそれぞれ塗布しているので、このフィルターをエアコンの吸入口に装着することによってフィルターの抗菌・エアコン内部に発生するカビの抑制・エアコン内部に侵入するダニなど害虫の忌避・吹き出す風による森林浴効果、などが効果として同時に得られる。
【考案を実施するための最良の形態】
【０００６】  以下、本考案を実施するための最良の形態について図１、図２、図３に基づいて説明する。本考案は、フィルター（１）抗菌・防カビ剤（２）ヒノキチオール（３）からなる積載フィルターであり、図１、図２、図３はそれぞれ断面図である。積載方法として第一にフィルター（１）の上に抗菌・防カビ剤（２）を塗布し、その上にヒノキチオール（３）を塗布する方法、第二にフィルター（１）の上にヒノキチオール（３）を塗布し、その上に抗菌・防カビ剤（２）を塗布する方法、第三としてフィルター（１）の片側面に抗菌・防カビ剤（２）を塗布し、その反対側面にヒノキチオール（３）を塗布する方法がある。これにより、フィルターによる集塵効果と抗菌・防カビ剤によるエアコン内部のカビを抑制しクリーンに保つ効果、そしてヒノキチオールによるエアコン内部のダニなどの害虫忌避効果、さらには部屋への森林浴効果が同時に行なえる。
本考案は以上のような構造で、これを使用するときは、住居において使用しているエアコンの吸入口に両面テープなどを用いて取り付け、使用期間経過後に取り外して処分すればよい。
【実施例】
【０００７】  エアコンの吸入口の外側、エアコンの吸入口の内側
【産業上の利用可能性】
【０００８】  ある程度のサイズのフィルターに抗菌・防カビ剤とヒノキチオールを塗布していく。塗布する順番としては、フィルターの上に抗菌・防カビ剤を塗布しその上にヒノキチオールを塗布する順番、またはフィルターの上にヒノキチオールを塗布しその上に抗菌・防カビ剤を塗布する順番、あるいはフィルターの片側面に抗菌・防カビ剤を塗布しその反対側面にヒノキチオールを塗布する方法があり、どの順番に塗布してもよい。塗布する方法としては、抗菌・防カビ剤とヒノキチオールをともにインク化してからフィルターに塗布する。このような工程で、抗菌・防カビ剤が塗布されたフィルターを事前に定めたサイズにカットすることにより量産ができる。
【図面の簡単な説明】
【０００９】
【図１】    本考案の一例を示す断面図である。
【図２】    第二の例を示す断面図である。
【図３】    第三の例を示す断面図である。
【符号の説明】
【００１０】      １      フィルター
２      抗菌・防カビ剤
３      ヒノキチオール
【図１】
0003121867.tif 000003
【図２】
0003121867.tif 000004
【図３】
0003121867.tif 000005
(57)【要約】      （修正有）【課題】コードの中間をボビンのコアにあるフックに引っかけて巻き取る方式のコードリールに於いて、コードの巻き取り時に２本のコードが絡むことにより巻き取り効率が低下することを防ぐことができるコードリールの提供。【解決手段】コードリール（１）内部のコア（２）の中央部分にコードリールの内部を２分するように円盤状のセパレータ（３）を取り付ける。円盤状のセパレータ（３）の一部を切り欠いてフック（４）の役割を持たせる。切り欠きの形状を左右対称とすることでコード（５）を巻き取る方向は限定されない。【選択図】図１
0003121865.tif 000002
【実用新案登録請求の範囲】
【請求項１】
携帯用音響機器や携帯電話用のイヤホンコードを、ボビンのコアに設けられたフックに引っかけて巻き取り、収納するコードリールであって、ボビンのコアの形状を中央部に円盤状セパレータを設けるようにし、その一部にコードを巻き取る方向に関係なく、引っかけることができるフック用切り欠きを作ることにより、コードの絡みを無くし、小型で巻き取り効率を向上させるとともに、巻き取り方向を限定する必要がないことを特長としたコードリール。
【考案の詳細な説明】
【技術分野】
【０００１】本考案は、コードの中間をボビンのコアにあるフックに引っかけて巻き取る方式のコードリールに於いて、コードの巻き取り時に２本のコードが絡んだり、コードが交差して巻き取り効率が低下することを防ぐためのボビンのコアの形状を改良したコードリールに関するものである。
【背景技術】
【０００２】携帯電話機や携帯型音響機器用の各種ヘッドホンやイヤホンのコードを、コードの中間をボビンのコアにあるフックに引っかけて巻き取る方式のコードリール、例えば本人考案の実願２００５−１０５１４のようなコードリールでは、コードを巻き取るときに、２本のコードが絡み合うために、巻き取るコード間に隙間が多くなったり、部分的に巻き取り径が太くなったりする。そのために巻き取ることができるコ−ドの長さが短くなってしまっている。元来、携帯機器用コードリールは小型軽量で用をなすものであるが、前記のように巻き取り効率が悪いため、本来ならば小型にできるものが大きくなり、使い勝手が悪くなっている。
また、ボビンのコアに設けるコードフックは、突起状に作られており、引っかける方向が一方向であったり、又は無方向に作られている。そのため、巻き取り方向を逆にすると巻き取ることができなくなったり、簡単に外れてしまうことがある。これでは、使用する状況にあっては使い勝手が悪くなっている。
コードの中間をボビンのコアにあるフックに引っかけて巻き取る方式のコードリールで、コード間の無駄な隙間を少なくして効率よく巻き取る配慮をしたコードリールはまだ考案されていない。
【考案の開示】
【考案が解決しようとする課題】
【０００３】コードの中間をボビンのコアにあるフックに引っかけて巻き取る方式のコードリールに於いて、コードの巻き取り時に２本のコードが絡むことにより巻き取り効率が低下することを防ぎたい。【０００４】ボビンのコアにあるフックは突起によって作られているため、その形状が棒状であるか、もしくは一方向にだけ掛けられるようになっている。そのため、巻き取る方向が決まっており、使い勝手が悪い。
【課題を解決するための手段】
【０００５】ボビンのコアの中央部分にコードリールの内部を２分するように円盤状のセパレータを取り付け、巻き取るコードが２分された部分に左右別々に巻き取られるようにする。【０００６】また、円盤状コアの周辺部の一部を左右対称形に切り欠いてフックの役割とする。
【考案の効果】
【０００７】本考案を実施することにより、フックに引っかけたコードはセパレータを境にして２分され、絡み合うことが無くなり、効率よくコードを巻き取ることができるようになる。【０００８】また、左右対称の切り欠きによるフックを作ることによって、巻き取る方向を限定する必要が無くなる。
【考案を実施するための最良の形態】
【実施例１】
【０００９】コードリール（１）内部のコア（２）の中央部分にコードリールの内部を２分するように円盤状のセパレータ（３）を取り付ける。円盤状のセパレータ（３）の一部を切り欠いてフック（４）の役割を持たせる。切り欠きの形状を左右対称とすることでコード（５）を巻き取る方向は限定されない（図１参照）。
【図面の簡単な説明】
【００１０】
【図１】セパレータ付きコアを持つコードリール
【符号の説明】
【００１１】（１）    コードリール
（２）    コア
（３）    セパレータ
（４）    フック
（５）    コード
【図１】
0003121865.tif 000003
(57)【要約】【課題】本考案は干し台を平面対とし先端をベランダより若干突出させ、狭いベランダでも布団の全面干しを可能とした。【解決方法】本考案の干し台は数本のパイプにて平面組立とし左右両サイド側各一箇所ずつ突起を設けベランダの手摺の大、小に対応可能とするため符号３のスライド板と５の蝶ネジにより調整しながら締付け安全に本体を設置し布団の全面干しを可能とするものである。【選択図】図２
0003121866.tif 000002
【実用新案登録請求の範囲】
【請求項１】
干し台本体の左右各一ヶ所に固定突起を設置しスライド板と蝶ネジを併用しベランダの手摺に締め付け圧着し干し台を安全に固定するものであり且つ脱着自在にし立てかけて収納を可能としたことを特徴とするベランダ用布団干し台。
【考案の詳細な説明】
【技術分野】
【０００１】本考案は干し台をベランダのフェンスに取付ける際に手摺の大、小に対応可能にするための、スライド板と蝶ネジによる固定圧設に関するものである。
【背景技術】
【０００２】従来より布団を干す場合、竿又はベランダのフェンスに２つ折にして干していた。
【考案の開示】
【考案が解決しようとする課題】
【０００３】竿又はベランダに干す場合２つ折にして干すため布団の半分にしか太陽の光を当てることができず１枚を完全に干すためにはある時間を見計らって反転させなければならず、そのタイミングの難しさ、その労力も大変なものであり特に高齢者には労働的負担は大である。上述の課題を解決するものである。
【課題を解決するための手段】
【０００４】本考案は管状の素材により組み立てられた干し台本体の両端よりそれぞれ２本目に突起を溶着し中央にスライド板を設け溶着された突起に蝶ネジを通しそれによりベランダの手摺の鋼材の大、小に合わせて本体を手摺に締付け固定させるものである。
本体は２分割とし相対の管を挿入して１体化させる、固定された干し台上に布団を置き先端を徐々に延ばし、布団の半分は干し台の平面上そのまま干し先端の半分は垂れ下げて一度に全面干しを可能にするべく解決するものである。
【考案の効果】
【０００５】上述の様に一度に全面干しを可能としたため快適に且つ衛生的な布団干しができ、干すときも、引き込むときも先ず平面上に布団を置き徐々に楽な作業ができ且つ本体の先端を柵より突き出すため狭いベランダでも全面干しが可能となる。
【考案を実施するための最良の形態】
【０００６】干し台本体の左右の突起と蝶ネジを用いてベランダに締付け固定するため、支持脚部を不要とするも強靭にして安全な干し台を設置する事ができ、蝶ネジを緩めることにより容易に解体収納が可能である。
【実施例】
【０００７】以下、添付図面に従って実施例を説明する。干し台本体はステンレスパイプなど適宜素材にて一体化されたもので組立てられ図１のＡ、Ｂと２分割したのは本干し台の大きさを考慮し現地組立てとしたものであるＡ、Ｂの相対するパイプを嵌合し一体化とし図２の断面図の如く符号２、４を固定板とし、３をスライド板としてベランダへの締付け装置とした、５の蝶ネジにてスライド板を手摺の大、小に合せ調整しながら本体を固定し設置は完了する。蝶ネジを緩めて手摺より取り外しフェンスに立て掛けて収納可能とする。
【図面の簡単な説明】
【０００８】
【図１】干し台の平面図
【図２】図１の本体Ｃ−Ｃ断面図である
【図３】図２におけるスライド板Ｄ−Ｄ側面図である
【符号の説明】
【０００９】符号  １  本体
２  固定板
３  スライド板
４  固定板
５  蝶ネジ
【図１】
0003121866.tif 000003
【図２】
0003121866.tif 000004
【図３】
0003121866.tif 000005
(57)【要約】【課題】  鋼材に板材を多数のボルトで固定するとき、ボルトの本数が多いときは鋼材に取付けるボルトの位置と板のボルト孔は合致し難く、この作業は容易ではない。本案はこの取付作業を著しく改善するものである。【解決手段】  取付ボルト３を管状にし、その内面に電気絶縁の内層７を設け、この内面の取付側５の少し奥まった位置に被覆剤９で包んだ心線８を収納させ、そしてねじ側４の内面より導電棒１２を挿入して、内部の心線８に接触させて、取付側５の端面を被溶接物の鋼材１の表面に押しつけて、この導電棒１２に溶接電流を送ることにより、鋼材１にアーク溶接しうるようにした管状の取付ボルトを用いて鋼材１と板材２を容易に取付けるようにしたものである。【選択図】図１、図３。
0003121863.tif 000002
【実用新案登録請求の範囲】
【請求項１】
取付ボルト３を管状にし、その内面に電気絶縁の内層７を設け、この内面の取付側５の少し奥まった位置に被覆剤９で包んだ心線８を収納させ、そしてねじ側４の内面より導電棒１２を挿入して、内部の心線８に接触させて、取付側５の端面を被溶接物の鋼材１の表面に押しつけて、この導電棒１２に溶接電流を送ることにより、鋼材１にアーク溶接しうるようにした管状の取付ボルト。
【請求項２】
請求項１に記載したとおりの管状の取付ボルト３に於いてその内面に設けた電気絶縁の内層７の代わりに、挿入する導電棒１２の表面に電気絶縁の外層１４を設け、且つ、心線８の被覆剤９の表面に薄い電気絶縁被膜１３をほどこした管状の取付ボルト。
【考案の詳細な説明】
【技術分野】
【０００１】  この考案は鋼板及び型鋼等の鋼材に鉄製、又は他のあらゆる材質の板、及び型材を多数のボルトで結合するとき、本案の管状の取付けボルトを使用することにより、その取付けの作業性を著しく向上させるものである。
【考案の開示】
【０００２】  通常、鋼板及び型鋼等に板材を多数のボルトで結合取付けする場合、先ず鋼板等の表面に所定の位置を記して、ここにボルトを立てて、溶接又はねじ込んで固定する。一方取り付けられる板には同寸法の位置を記した後、穿孔し、鋼材に立てた多数のボルトを孔に差し込んで、ナット等で結合する。ボルトの本数が多いときは、ボルトと板の孔の位置は合致しにくく、組み立てが困難である。時に建築現場の天井裏工事ではほとんど不可能に近い。
【０００３】  このため取り付けられる板には多数のボルトをナットで取り付けた後、これを鋼材の表面に接触させ、各々のボルトの根元をアーク焙接する方法が望ましい。しかしこの場合ボルトは取り付けられる板の裏側になるため、作業者の眼及び手が届き難く、困難な状況のもとでボルトの取付部の溶接をしなければならない。
本考案はこのような難しい作業を解決して、能率よく敏速に進めるようにするものである。
【課題を解決するための手段】
【０００４】  本考案は上の課題を解決するために先ずこれに使用する下記の管状の取付けボルトを製作する。この取付けボルト３は図１に示すとおり管状であって、その内面に電気絶縁の内層７を設け、この内面の取付側５の少し奥まった位置に被覆剤９で包んだ心線８を収納させ、そしてねじ側４の内面より導電棒１２を挿入して、内部の心線８に接触させて、取付側５の端面を被溶接物の鋼材１の表面に押しつけて、この導電棒１２に溶接電流を送ることにより、鋼材１にアーク溶接しうるようにした管状の取付ボルトである。
【０００５】  又は、図３に示すように管状の取付ボルト３の内面に設けた電気絶縁の内層７の代わりに、挿入する導電棒１２の表面に電気絶縁の外層１４を設け、且つ、心線８の被覆剤９の表面に薄い電気絶縁被膜１３をほどこした管状の取付ボルトのいずれかの取付ボルトを取付けようとする板材２に多数本、図５のように取付け、これを被溶接物の鋼板１の表面に押し付けて、導電棒１２を挿入し、１本宛順次アーク溶接していくことで、容易に敏速に板材２を鋼材１に取付けることが出来る。
【発明の効果】
【０００６】  本案の方法により板を鋼材に敏速に取り付けることが可能になるため、建物の二階以上の床裏の鉄板、梁、柱等の型鋼材の表面にステンレス鋼の薄板又は不燃材の板を取り付ける耐火工事も簡単に行うことが可能となる。又、少し長い管状の取付ボルトを使用することにより床裏の鉄板より直接、天井板を取り付けることが可能となる。又、機械類のカバー取付作業、電気、空調関係のダクト取付作業も容易に出来るようになる。
【考案を実施するための最良の形態】
【０００７】  図１に示すとおり、本案の取付ボルト３は管状であって、この内面の大部分に電気絶縁の内層７を取付けている。この内面の取付側５より数粍奥まった位置に被覆剤９で包んだ心線８を収納させており、反対側のねじ側４の内面より導電棒１２を挿入して、内部の心線に接触させて、取付側５の端面を被溶接物の鋼材１の表面に押しつけて、この導電棒に溶接電流を送ることにより、鋼材表面との間にアークを発生させ、取付ボルト３の端面と鋼材１の表面に図２のように心線が溶け込んでいき融接が行われる。このとき不要のスラグはスラグ流し用溝６より排出される。【０００８】  そして図５の一番下図のように溶接が終わると、導電棒１２を引き抜き、その上の図のように次の取付ボルト３に導電棒１２を挿入して溶接を行い、更にその上の図へと次々に導電棒１２を挿入して溶接を続行する。この時通常の溶接棒を使用する必要なく、単に導電棒１２を挿入し、押し込んでいくだけの簡単な作業により確実に取付ボルトを鋼材１に融着できる。【０００９】  そして図３に示すように管状の取付ボルト３の内面に設けた電気絶縁の内層７の代わりに、挿入する導電棒１２の表面に電気絶縁の外層１４を設け、且つ、心線８の被覆剤９の表面に薄い電気絶縁被膜１３をほどこした管状の取付ボルトを使用してもよい。
【図面の簡単な説明】
【００１０】
【図１】本考案の実施形態の第１実施例を示す縦断面図
【図２】図１のＡ−Ａ断面図
【図３】図１の取付ボルトの溶接後の状態を示す縦断面図
【図４】本考案に係わる第２実施例を示す縦断面図
【図５】第一実施例の溶接進行の過程を示す縦断面図
【符号の説明】
【００１１】  １・・・鋼材                      ２・・・板材
３・・・管状の取付ボルト          ４・・・取付ボルトのねじ側
５・・・取付ボルトの取付側        ６・・・スラグ流し用溝
７・・・電気絶縁の内層            ８・・・心線
９・・・心線の被覆剤            １０・・・ナット
１１・・・座金                    １２・・・導電棒
１３・・・心線の被覆剤表面の電気絶縁被膜
１４・・・導電棒の電気絶縁の外層
【図１】
0003121863.tif 000003
【図２】
0003121863.tif 000004
【図３】
0003121863.tif 000005
【図４】
0003121863.tif 000006
【図５】
0003121863.tif 000007
(57)【要約】      （修正有）【課題】洗車時に水道ホースを移動する際、タイヤにホースが食い込む不都合を解消する。【解決手段】タイヤＴと地面Ｇの接地面に下部板４を差し込んで固定し、タイヤＴの側面と底面を覆うガード部３を備えた洗車ホース  ガード１０により、解決する。【選択図】図５
0003121817.tif 000002
【実用新案登録請求の範囲】
【請求項１】
角部に丸みを持たせて直角に曲げてなるガード部の下端に四角形の下部板を設け、該下部板をタイヤの接地部に挿入するようにしたることを特徴とする洗車ホースガード。
【請求項２】
請求項１記載の洗車ホースガードにおいて、ガード部に取っ手穴を設けてなることを特徴とする洗車ホースガード。
【考案の詳細な説明】
【技術分野】
【０００１】  本考案は、洗車時、車のタイヤに取り付け使用する洗車ホース  ガードに関する。
【背景技術】
【０００２】  洗車する時、手前側を洗って次に反対側を洗うため水道ホースを引っ張った時、よくタイヤの隙間に食い込んで引っ張れない事があるがこのタイヤの食い込みを防ぐ道具は、なかった。
【考案の開示】
【考案が解決しようとする課題】
【０００３】  そのため、これでは、一回、一回タイヤに挟まった水道ホースを引抜いて、また伸ばさなければならないし、ホースを挟まらない様にするには、ホースを一回大きく廻さなければならない為。不便である。
本考案は、この不便を解消する事を目的とするものである。
【課題を解決するための手段】
【０００４】  本考案では、洗車時に水道ホースがタイヤに食い込まないようにしたい。
そこで、本考案の洗車ホース  ガードを用いる事により、タイヤの側面と底面と２ケ所を覆ってガードする事により水道ホースがタイヤに食い込む事は、ない。
しかもタイヤの接地面に器具を差し込む事によって、ホースを引っ張る力に負けず、しっかりと固定される。
【考案の効果】
【０００５】  よって、本考案の洗車ホース  ガードにより、車を洗う時に長い水道ホースがタイヤに食い込むのを気にする事なく、自由自在に車全体を洗う事が出来る。
【考案を実地するための最良の形態】
【０００６】  本考案に係わる洗車ホース  ガード１０は、図１〜図５に示すようにタイヤＴと地面Ｇの隙間に差し込んで固定する四角形の下部板４、その外側二辺に側壁を立設したガード部３は、「く」の字に曲がった屏風のような形で水道ホースを食い込ませない役目とタイヤに固定する役目をする。出っ張りを出さない為、ガード部３の「く」の字の中央部分を頂点に外側に行くに連れ、やや低くカットしている。
ガード部３の「く」の字の中央部分は、Ｒ部２で、水道ホースを引っ張った際、引っ掛からないように上から下まで、丸く湾曲している。
ガード部３の上、ややＲ部２寄りに指が入る位の穴、取っ手穴１が設けてあり、タイヤＴに使用した時、設置、取り外しが容易である。
洗車ホース  ガード１０の大きさは、タイヤＴの直径の３分の１くらいが良い。素材は、プラスチック、ナイロン、ビニール等を使用する。
【図面の簡単な説明】
【０００７】
【図１】本考案に係わる洗車ホース  ガードを裏面から見た図である。
【図２】本考案に係わる洗車ホース  ガードを上から見た図である。
【図３】本考案に係わる洗車ホース  ガードをタイヤに設置して横から見た図である。
【図４】本考案に係わる洗車ホース  ガードをタイヤに設置して正面から見た図である。
【符号の説明】
【０００８】  １      取っ手穴
２      Ｒ部
３      ガード部
４      下部板
１０    洗車ホース  ガード
Ｔ      タイヤ
Ｇ      地面
Ｓ      水道ホース
【図１】
0003121817.tif 000003
【図２】
0003121817.tif 000004
【図３】
0003121817.tif 000005
【図４】
0003121817.tif 000006
【図５】
0003121817.tif 000007
【図６】
0003121817.tif 000008
【手続補正書】
【提出日】平成18年3月13日(2006.3.13)
【手続補正１】
【補正対象書類名】明細書
【補正対象項目名】０００７
【補正方法】変更
【補正の内容】
【０００７】
【図１】  本考案に係わる洗車ホース  ガードを裏面から見た図である。
【図２】  本考案に係わる洗車ホース  ガードを上から見た図である。
【図３】  本考案に係わる洗車ホース  ガードをタイヤに設置して横から見た図である。
【図４】  本考案に係わる洗車ホース  ガードをタイヤに設置して正面から見た図である。
【図５】  本考案に係わる洗車ホース  ガードを立体的に見た図である。
【図６】  本考案に係わる洗車ホースガードを使用する前のタイヤに水道ホースが食い込んだ図である。
(57)【要約】【課題】  歯を磨く時、口腔内に唾液等が充満し、これが溢れて垂れ液となって歯ブラシの柄を伝って流下し、その手を濡らし更には袖口に入って不愉快な思いをする事がある。本考案はこの垂れ液が歯ブラシを握る手に至る前にそれを遮断、滴下せしめてして手を濡らさない様にした歯ブラシの柄を提供するものである。【手段】  歯ブラシの柄本体（１）と、垂れ液遮断板（２）を一体に形成して垂れ液遮断板が付加された歯ブラシの柄を製造する。【選択図】図１
0003121819.tif 000002
【実用新案登録請求の範囲】
【請求項１】
口腔内から溢れ出て歯ブラシの柄を伝って流下する唾液等を遮断する垂れ液遮断板（２）を歯ブラシの柄本体（１）と一体に成形した垂れ液遮断板付き歯ブラシの柄
【考案の詳細な説明】
【考案の詳細な説明】
【技術分野】
【０００１】  この考案は垂れ液を遮断する効能を持つ歯ブラシの柄の形状に関するものである。即ち歯ブラシの柄本体（１）の適当な位置に適当な大きさの円形、楕円形又は多角形状の薄板（２）を歯ブラシの柄と一体に成形し、垂れ液遮断効能を付加した歯ブラシの柄に関するものある。
【背景技術】
【０００２】  従来の大多数の歯ブラシは、口腔内から流出する唾液等の垂れ液が歯ブラシの柄を伝わって流下して手に伝わる事を遮断する機能を全く有しない。また、垂れ液を手に伝えない為に発明、考案された部品もあるあるが、これは別個に作成した部品を歯ブラシの柄に装着する構造になっている。そのため、部品の数が多くなり、形状も複雑になって取り扱いが煩雑になる上に製造費用が高くなる。【０００３】
【特許文献１】  特許番号２００２−２７２５３６、特許番号２００３−０００３４８
【考案が解決しようとする課題】
【０００４】  歯ブラシで歯を磨く時、口腔内に充満した唾液等が歯ブラシの柄を伝って流下してそれを握っている手に伝わり、更に袖口に入って不愉快な思いをする事が往々にしてある。別添図のように歯ブラシの柄本体（１）にそれと一体に形成された垂れ液遮断板（２）を付加することによって、流下した唾液等がこの垂れ液遮断板（２）によって遮られてその周縁部から滴下し、歯ブラシを握る手に垂れ液が伝わる事がなくなる。
歯ブラシの柄本体（１）と一体に垂れ液遮断板（２）を成形する事によって、従来の製法を大きく変えること無く、形状簡潔にして、流下液を効果的に遮断する機能を有する歯ブラシの柄を製造する事ができる。
【課題を解決する手段】
【０００５】  歯ブラシの柄本体（１）と垂れ液遮断板（２）を一体に成形して、垂れ液遮断板が付加された歯ブラシの柄を製造する。
【考案を実施するための最良の形態】
【０００６】  歯を磨く時、口腔内で生じた唾液等の液体が歯ブラシの柄を伝って流下する事がある。この液体を歯ブラシの柄と一体に成形された垂れ液遮断板（２）が遮り、その周縁部から滴下せしめる。本考案の歯ブラシを僅かに傾けて使用する事によりこれらの液体が手に伝わる事を防止する事ができる。
【考案の効果】
【０００７】  歯を磨く時、唾液分泌が多い場合、これが口腔内から溢れ出て歯ブラシの柄本体（１）を伝って流下する。これを垂れ液遮断板（２）で遮り、その周縁部から滴下させる事により、歯ブラシを握る手に垂れ液が伝わる事を防止する効果を得る事ができる。
形状が簡単で、且つ従来と同一方法で成形する事できるので、製造単価に大きな影響を与えずに垂れ液遮断効能がある歯ブラシの柄を製造する事ができる。
【図面の簡単な説明】
【図１】本考案の平面図
【図２】本考案の正面図
【符号の説明】
（１）歯ブラシの柄本体、    （２）垂れ液遮断板
【図１】
0003121819.tif 000003
【図２】
0003121819.tif 000004
(57)【要約】      （修正有）【課題】吐出装置等に装着されるには強固な金属部で保護され、洗浄、交換の際はガラス部のみが分離できれば便利である。【解決手段】金属製の保護筒内にガラスシリンジを挿入し、両端でガラスシリンジを軸方向に押す固定具を設け、ガラスシリンジとノズルホルダを同時に軸方向に挟んで固定する構成を特徴とするシリンジを提供する。【選択図】図１
0003121855.tif 000002
【実用新案登録請求の範囲】
【請求項１】
保護筒内にガラスシリンジを挿入し、この保護筒内に、ガラスシリンジを軸方向に押す固定具を設け、ガラスシリンジとノズルホルダを同時に軸方向に挟んで固定する構成を特徴とするシリンジ。
【考案の詳細な説明】
【技術分野】
【０００１】ガス、薬品、接着剤、ペースト等の流体の分析、液送、塗布に於いて吐出、吸入に使用するシリンジに関する。
【背景技術】
【０００２】液体吐出装置に装着して使用するガラスシリンジは割れやすいガラスを破損から守るため金属の保護筒をガラス管両端外周に接着している。【０００３】更にノズル装着のため押さえのネジ部が必要で、ネジを刻設した金属製部品をガラス管に接着している。【０００４】シリンジは薬液の付着により汚染されるので繰り返し洗浄される。その間に破損もする。【０００５】金属筒等を付加すると高価になる。また洗浄の際、有機溶剤に沈めると、接着材が溶けて金属部がはがれる等の損傷が起こる。【０００６】従来市販のガラスシリンジは容量が異なる毎に外径が異なるため、吐出装置への取り付け金具を容量が異なる毎に取り替える不便がある。
【課題】
【０００７】吐出装置等に装着されるには強固な金属部で保護され、洗浄、交換の際はガラス部のみが分離できれば便利である。
【解決手段】
【０００８】金属製の保護筒内にガラスシリンジを挿入し、両端でガラスシリンジを軸方向に押す固定具を設け、ガラスシリンジとノズルホルダを同時に軸方向に挟んで固定する構成を特徴とするシリンジを提供する。
【実施例１】
【０００９】金属筒１は右端にガラスシリンジ前受け穴２と端面あて部９と、左端にネジ部４を設ける。ネジ部４に固定具３を螺合さす。【００１０】固定具３はガラスシリンジ５とパッキン１２を介して内接する後受け部１１と、ガラスシリンジ端面を押す端面あて部１４とを設ける。端面あて部１４にパッキン１２を設置する。【００１１】ガラスシリンジ５はピストン６を内臓し、ノズルホルダ７を右端にパッキン８、パッキン１５で挟んで挿入している。ノズルホルダ７はノズル１０を接着している。
【作用】
【００１２】ガラスシリンジ５の右端にノズルホルダ７をパッキン８、パッキン１５とともに挿入し金属筒１内に挿入する。
【００１３】固定具３にパッキン１２を入れて金属筒１に装着し、ネジ部４に沿ってねじ込むと、ガラスシリンジ５とノズルホルダは端面あて部９、１４に押し付けられ軸方向に固定される。
【００１４】ガラスシリンジ５はパッキン１２、パッキン１５を介して前受け部穴２と後受け穴１１とで軸直角方向に軽く保持される。
【００１５】パッキン１２、パッキン１５はガラスシリンジ５と金属筒１との直接接触を防止する。
【００１６】パッキン１５はガラスシリンジ５の内径と、ノズルホルダ７との隙間からの液漏れを防止する。
【００１７】パッキン８はノズルホルダ７の傾きを吸収する。
【００１８】金属筒１を吐出装置に装着し、ピストン６を押すと、内部の液１３はノズル１０より吐出する。
【００１９】分解の際は固定具３を外すとガラスシリンジ５、ノズルホルダ７は金属筒１から分離できる。
【効果】
【００２０】ガラスシリンジ５は金属筒１内に保持され、軸方向にのみ力を受けるので、圧縮力には強いガラスは損傷する恐れが小さい。またガラスシリンジ５と金属筒１はパッキンを介在して接触しているので、振動などで発生するガラスのダメージを防止できる。
【００２１】ガラスと金属を接着することなく構成しているので、ガラスシリンジを安価に提供できる。また洗浄、交換が容易。
【００２２】吐出装置に装着する際、ガラス部が外部に露出していないので、衝撃に弱いガラスを気にすることなく強固に取り付けられる。
【００２３】金属筒１の右端も固定具３と同様の構造にし、両端の固定具の位置を調整すると、ノズル１０の突き出し量を微細に調整できる。
【００２４】金属筒１はシリンジの液量に係わらず同寸法にし、ガラスシリンジの内径のみを変えるならば、吐出装置への取り付けに係わる部材を交換しなくて良い。
【００２５】ノズルを外し、ガラスシリンジとピストンのみの組み合わせで液を吸入することができるので、気泡を残したり巻き込んだりすることがなく、精密吐出が計れる。
【００２６】金属筒１は吐出装置への取り付けに便利な形状に、或いは内部を観察する穴を設けたりする加工が容易である。
【図面の簡単な説明】
【００２７】
【図１】  実施例１のシリンジの断面図
【符号の説明】
【００２８】１：金属筒    ３：固定具    ５：ガラスシリンジ    ６：ピストン    ７：ノズルホルダ    １３：液    １５：パッキン
【図１】
0003121855.tif 000003
(57)【要約】【課題】水上オートバイ等の運搬用のトレーラーにおけるハブ部分のグリスアップを簡便に行う為の考案。【解決手段】車軸部分端部にグリスニップルを設け、車軸部分スピンドル部分にグリスが通る穴をオイルシール手前まで開け、車両外側のグリスニップルから入れたグリスが内側のベアリングのローラー部分を抜け、ベアリング間のグリス溜まりをグリスで満たし、外側ベアリングのローラー部分を抜ける構造にする事により課題を解決する。【選択図】図１
0003121854.tif 000002
【実用新案登録請求の範囲】
【請求項１】
水上オートバイ等の運搬用トレーラーの車軸端部にグリスニップルを設けると同時に、車軸中心部分にグリスの通る穴を開け車両外側から簡便かつ効率的にインナーベアリング、アウターベアリング、両ベアリング間までグリスアップが行える事を特徴とした、車軸給脂装置
【考案の詳細な説明】
【技術分野】本考案は水上オートバイ運搬等のトレーラーの車軸部分のグリスアップを簡便に行う為の構造装置に関する。
【背景技術】従来はハブ部分車両内側にグリスニップルを設けてグリスアップする装置などがあるが、積載状態及びタイヤ位置等により不具合があった。
【考案の開示】
【考案が解決しようとする課題】車軸端部のハブ部分に簡便に注脂出来る様にする事。
ハブ内部のベアリング間をグリスで満たせる様にする事。
【課題を解決する為の手段】
車軸中心部分にグリスが通る穴を開け、その車軸端部にグリスニップルを取り付けインナーベアリング側にグリスが到達する様にする。その結果、積載状態、タイヤ位置等に係わらず車両外側のグリスニップルよりグリスを注脂出来る様になり、インナーベアリング側からアウターベアリング側まで簡単且つ効果的にグリスを充填する事が出来る。且つハブ内部のベアリング間に隙間無くグリスを注脂する事が出来るので、トレーラーを水に浸けた際のハブ内部への水の浸入を大幅に防ぐ事が可能である。
【考案の効果】
従来は車両下側にもぐってグリスアップする必要があったが、本考案はその必要がない。
グリスニップルがタイヤの停止位置に関係していたのだが、本考案はタイヤ停止位置に左右される事なくグリスアップが可能である。
グリスの注脂状態を注脂している場所で確認出来るので、無駄な注脂が無い。
【図面の簡単な説明】
【図１】トレーラーハブ部分右側を正面から示した断面図である。
【符号の説明】
【１】  ハブケース
【２】  スピンドル部
【３】  ベアリング
【４】  グリスニップル
【５】  グリス通路
【６】  オイルシール
【矢印記号】
グリスの流れ
【図１】
0003121854.tif 000003
(57)【要約】      （修正有）【課題】容器内の分割によって一つの容器を一本化し各調味料の容器をあれこれと取り替えなくてすむ。本考案は、一つの容器を三つの空間に仕切り三種類の調味料を入れた三色調味料入容器を提供する。【解決手段】１つの容器を三つに仕切り、ふたにキャップをそれぞれ付けて混ざらずに使用できるようにする。【選択図】図−１
0003121853.tif 000002
【実用新案登録請求の範囲】
【請求項１】
調味料の容器をひとつの器に三つの空間に仕切り三種類の調味料をそれぞれの空間に入れ一つの容器にまとめたもの。
【考案の詳細な説明】
【技術分野】
【０００１】  本考案は、一つの容器を三つの空間に仕切り三種類の調味料を入れる。
【背景技術】
【０００２】  従来の調味料容器は一つの容器に一種類の用途である。
【考案の開示】
【考案が解決しようとする課題】
【０００３】  しかし、料理はいくつかの調味料を使うことが多く、これでは調味料を使うとき各調味料の入った容器を取っては置き、また別の調味料を取るという面倒で不便である。
【課題を解決するための手段】
【０００４】  そこで、容器を三つの空間に仕切る。そして各空間ごとのキャップを設け調味料を出す。一箇所を使う時には残り二つのキャップは閉じているので混合することなく片手でそれぞれの調味料を使うことができる。
【考案の効果】
【０００５】  よって、本考案の三色調味料入れにより料理に使う調味料を一つの容器でそれぞれ連続して使うことが出来る。
【考案を実施するための最良の形態】
【０００６】  本考案による三色調味料入れは大きさは任意の大きさで調味料が出るふたのキャップを図３−３のようにそれぞれ独立した出口を持ち２箇所のキャップをきちんと閉めることにより、傾けても使用する一方の調味料と混ざらないようにする。また、容器の仕切りを完全にし容器の中でも混ざらないようにする。その際、どの調味料か分かりやすくするためキャップ等に調味料名を書いたシールを貼り付けると良い。
【図面の簡単な説明】
【０００７】
【図−１】    本考案に係わる三色調味料入れの仕切りとキャップの全体図である。
【図−２】    ふたを開けた容器の仕切り
【図−３】    開けた状態のキャップ図
【符号の説明】
【０００８】    １  キャップ
２  仕切りの空間
３  ふたとキャップ
【図−１】
0003121853.tif 000003
【図−２】
0003121853.tif 000004
【図−３】
0003121853.tif 000005
(57)【要約】【課題】  イヤホンコードの長さ調整及び保持を行う、携帯性に優れたコード保持溝付携帯型音楽画像再生装置用立て掛けスタンドを提供する。【解決手段】  携帯型画像音楽再生装置の外周部に沿ってコードを巻き付け、長さを調整保持する保持溝を設け、コード押さえ部カバーを閉じることによりコードを確実に保持し、開くことにより該音楽画像装置のスタンドとして機能するという課題を解決する。【選択図】図５
0003121851.tif 000002
【実用新案登録請求の範囲】
【請求項１】
イヤホンコードを保持する溝を備えたことを特徴とする後付式コード保持溝付携帯型音楽画像再生装置用コード押さえ
【請求項２】
請求項１に於いて、保持溝を有するスタンド脚によりコードを保持することを特徴とする後付式コード保持溝付携帯型音楽画像再生装置用コード押さえ
【請求項３】
請求項１に於いて、コードは保持用溝で押さえ、作動するスタンド脚を別途設けたことを特徴とする後付式コード保持溝付携帯型音楽画像再生装置用コード押さえ
【請求項４】
請求項１に於いて、イヤホンコードを保持する溝が、コード押さえ本体とスタンド脚により形成されることを特徴とする後付式コード保持溝付携帯型音楽画像再生装置用コード押さえ
【考案の詳細な説明】
【技術分野】
【０００１】  本考案は、携帯型音楽画像再生装置のイヤホンコードの収納と該装置の立て掛けに関する物である。
【背景技術】
【０００２】  従来の技術思想では、携帯型音楽画像再生装置のイヤホンコードはリール形状の器具に巻取る方式により収納が行われていた。またスタンドは単独で貼り付け使用されていた。
【考案の開示】
【考案が解決しようとする課題】
【０００３】  本考案はコードの長さ調整及び収納を携帯型音楽画像再生装置本体にコードを巻き付けることにより解決し同時に本体を立て掛ける機能も付加する。
【課題を解決するための手段】
【０００４】  本考案は携帯型音楽画像再生装置本体の外周部に沿ってコードを巻き付け任意の位置でコードを挟み込む事により、コードの長さを調整し収納するという課題を解決し、同時に机上で該装置を立て掛け画面の視認性を高める効果を与える。
【考案の効果】
【０００５】  上記のように本考案の携帯型音楽画像再生装置用コード巻き付け式スタンドを使用することで、イヤホンコードの長さを容易に調整することが出来る。またケース外周部にコードを収納出来るため複雑な機構の巻き取り装置を用いることなく軽量化が可能であり、使用者は好みのイヤホンのコードの長さを自在に調節して使用することが出来る。本考案の実施によりコードのからみを防止し、余分なコードの処理の問題を解決することが出来る。また机上などでコード押さえ部カバーをスタンドとして該本体を立て掛け、使用者が画面の視認を容易にする効果も与える。
【考案を実施するための最良の形態】
【０００６】  携帯型音楽画像再生装置用の裏面に両面粘着テープなどを介してコード押さえ部を装着し、該コード押さえ部のヒンジ部を介してコード押さえ部カバーを配置する。イヤホンコードを該装置本体に巻き付け収納するとき、イヤホンコードはコード押さえ部に設けた溝に挟み込み仮固定する。ヒンジ部を介してコード押さえ部カバーを閉じることによりイヤホンコードはカバーにより確実に保持固定される。使用者が机上などで該装置を立て掛けて使用するときはコード押さえ部カバーを開き、立て掛けて使用する。
【実施例】
【０００７】  以下、添付図面に基づいて実施例を説明する。
図１は本考案の携帯型音楽画像再生装置用コード保持溝付きスタンドの側面図である。１はコード押さえ部、２はコード押さえ部カバーである。１ｂ２ｂは係合凹凸部であり、１ｃはコード保持溝、１ｄはコード保持用凸部、２ｃはコード押さえ部である。【０００８】  図２は携帯型音楽画像再生装置に本考案のコード保持溝付きスタンドを装着した状態の側面である。コード押さえ部の保持溝１ｃにイヤホンコード５を巻き付け保持した状態の実施例の側面図である。【０００９】  図３はコード押さえ部カバー２でイヤホンコード６を固定した状態の実施例の側面図である。係合凹凸部１ｂ２ｂによりコード押さえ部１とコード押さえ部カバー２は係止されイヤホンコード６は保持固定される。【００１０】  図４はコード押さえ部カバー２をスタンドとして机上に該装置本体を立て掛けて使用した状態の実施例である。【００１１】  図５は携帯型音楽画像再生装置に本考案のコード巻き付け式スタンドを装着しイヤホンコード５を巻き付け保持した状態の実施例の俯瞰図である。図６はコード押さえ部に保持溝を設けず、スタンド脚によりコードを挟み保持する実施例の側面図である。
【図面の簡単な説明】
【００１２】
【図１】携帯型音楽画像再生装置用コード保持溝付きスタンドの側面図である。
【図２】コードを巻き付け保持した状態の側面図である。
【図３】コードを巻き付け保持固定した状態の側面図である。
【図４】立て掛けて使用した状態の側面図である。
【図５】コードを巻き付け保持した状態の俯瞰図である。
【図６】スタンド脚によりコードを挟み保持する実施例の側面図である。
【符号の説明】
【００１３】  １コード押さえ部
１ｃコード保持溝
２コード押さえ部カバー
３両面粘着テープ
４携帯型音楽画像再生装置本体
５イヤホンコード
６イヤホン
【図１】
0003121851.tif 000003
【図２】
0003121851.tif 000004
【図３】
0003121851.tif 000005
【図４】
0003121851.tif 000006
【図５】
0003121851.tif 000007
【図６】
0003121851.tif 000008
(57)【要約】【課題】  紛失や破損に強く、安全で楽しめる玩具を提供する。【解決手段】  少なくとも１以上の木製若しくはプラスチックその他の素材からなる装飾品３を、伸縮性の高いゴム２で相互に連結若しくは連環し、クリップ部１によって任意の固定部材に固定し吊り下げられるようにすることで、装飾性と娯楽性を備えた玩具にした。【選択図】図１
0003121852.tif 000002
【実用新案登録請求の範囲】
【請求項１】
本考案は少なくとも１以上の木製若しくはプラスチックその他の素材からなる装飾品を、伸縮性の高いゴムで相互に連結若しくは連環し、クリップ等によって任意の固定部材に固定し吊り下げられる構造に特徴を有する玩具である。
【考案の詳細な説明】
【技術分野】
【０００１】本考案は少なくとも１以上の木製若しくはプラスチックその他の素材からなる装飾品を、伸縮性の高いゴムで結びつけた構造を有する玩具に関する。
【考案の開示】
【考案が解決しようとする課題】
【０００２】従来、ぶら下げ型の玩具は装飾品としての機能をもつのみであったが、本考案はかかるぶら下げ型の玩具について装飾品として高い機能を保持させつつ幼児が触れて遊べる玩具を提供することを目的としている。【０００３】また、ぶら下げ型の玩具は引っ張ると固定している部材から外れ易く、また破損し易いため、かかる問題を解消する事を目的としている。
【課題を解決するための手段】
【０００４】本考案は少なくとも１以上の木製若しくはプラスチックその他の素材からなる装飾品を、伸縮性の高いゴムで相互に連結若しくは連環し、クリップ等によって任意の固定部材に固定し吊り下げられる構造に特徴を有する玩具である。
【考案の効果】
【０００５】インテリアとしての機能を有しつつ、伸縮性があることから触って楽しめ、かつ破損に強く安全であり、また固定部材から外れにくく、紛失しにくい玩具となる。
【考案を実施するための最良の形態】
【０００６】本考案にかかる玩具の最良の形態を図１を例に説明する。本考案にかかる玩具を本体上部のクリップ部１により固定部材（例えばベビーカーの庇部）に固定し、幼児の前面に吊り下げるとよい。ゴム２の特性により、風や振動で大きく揺れる様子を見て楽しめ、かつ手で握って上下に引き伸ばして遊ぶこともできる。【０００７】装飾品３とする素材は主にビーズを用い明るさを演出し、ところどころ木製の輪や動物を模したキャラクターなどを使うと暖か味が出て楽しさが増す。また、鈴を取り付けることで音を楽しむ効果を付加することもできるだろう。これはまた紛失防止にも効果がある。
もちろん、他の素材を用いることにも何ら問題はない。【０００８】本考案にかかる玩具の大きさは、装飾としての用途や安全性を考えると１０ｃｍから３０ｃｍ程が望ましい。
【図面の簡単な説明】
【０００９】
【図１】本考案の実施の一形態を示した平面図である。
【符号の説明】
【００１０】  １  クリップ
２  ゴム
３  プラスチック、木等からなる装飾品
【図１】
0003121852.tif 000003
(57)【要約】      （修正有）【課題】自動車のタイヤに関する盗難防止商品が存在しない。【解決手段】タイヤホイールカバーに鍵を設置することにより、タイヤホイールカバーを外せなくする。【選択図】図１
0003121847.tif 000002
【実用新案登録請求の範囲】
【請求項１】
自動車のタイヤ盗難を防止する為に、タイヤホイールカバーに鍵を設置させることを特徴とする、自動車のタイヤホイールカバー。
【考案の詳細な説明】
【技術分野】
【０００１】  本考案は、自動車のタイヤホイールカバーに関するものである。
【背景技術】
【０００２】  盗難防止に関する自動車用品は、たくさん存在する。
【考案の開示】
【考案が解決しようとする課題】
【０００３】  タイヤに関する盗難防止商品が存在しない。
【課題を解決するための手段】
【０００４】  タイヤホイールカバーに鍵を設置し、他人がタイヤホイールカバーを外せないようにする。
【考案の効果】
【０００５】  鍵がなければタイヤホイールカバーを外すことが不可能となり、タイヤの取付けねじを回すことができなくなる。タイヤの取付けねじが回らなければタイヤを外すことは不可能となり、タイヤの盗難を防止することができる。
【考案を実施するための最良の形態】
【０００６】  タイヤホイールカバーに設置する鍵は、ある程度の衝撃に耐えられる丈夫なものが望ましい。
【図面の簡単な説明】
【０００７】
【図１】  正面図
【符号の説明】
【０００８】１  タイヤ本体
２  タイヤホイールカバー
３  鍵
【図１】
0003121847.tif 000003